【事件の表示】
　特願２０１１−１０７６５９「駐車場の利用促進手段」拒絶査定不服審判事件〔平成２４年１１月１５日出願公開、特開２０１２−２２６７１８〕について、次のとおり審決する。
【結　論】
　本件審判の請求は、成り立たない。
【理　由】
第１　手続の経緯
　本願は，平成２３年４月２０日の出願であって，平成２６年７月１６日付けで拒絶理由通知がなされ，同年９月２７日付けで手続補正がなされたが，同年１１月２８日付けで拒絶査定がなされ，これに対し，平成２７年３月９日付けで拒絶査定不服審判請求がなされ，同年６月１１日付けで手続補正がなされたが，当該手続補正については同年１０月１日付けで，手続却下の決定がなされたものである。
　
第２　本願発明
　
　本願の請求項２に係る発明（以下，「本願発明」という。）は，平成２６年９月２７日付けの手続補正により補正された特許請求の範囲の請求項２に記載された事項により特定される，次のとおりのものである。
＜本願発明＞
「自動車を時間単位または日数単位で有料で駐車させる有料駐車場に設けられるパーキングメータ又は駐車券発券機又は駐車料金自動精算機から出力される印刷物，又は前記駐車場の運営管理者が発行する印刷物，から選択される少なくとも一つにＷｅｂサイト誘導手段を設け，また前記Ｗｅｂサイト誘導手段を介して誘導されるＷｅｂサイトには顧客応答フィードバック手段を設け，前記Ｗｅｂサイト誘導手段を検出する移動通信端末を有する前記駐車場の利用者が前記移動通信端末を介して前記顧客応答フィードバック手段を利用したときに，前記利用者の反応に応じて選択された前記駐車場の利用を促進させる情報を前記移動通信端末に送信することを特徴とする駐車場の利用促進手段であり，前記駐車管理装置又は前記駐車券発券機又は前記駐車料金自動精算機又は前記駐車場関連設備，から選択される少なくとも一つにＷｅｂサイト誘導手段の発行手段を設けることを特徴とする，駐車場の利用促進手段。」
　
第３　引用文献
１．国際公開第０３／０６０７８７号
　
　原査定の拒絶理由において引用された国際公開第０３／０６０７８７号（以下，「引用文献１」という。）には，次の事項が記載されている（下線は，当審において付与した。）。
（発明の課題）
ア．「また，駐車場を利用するには，利用料金を支払わなければならないため，これを嫌って違法駐車を行う者が多いが，警察による取り締まりを厳しくする以外に，違法駐車を減少させる有効な手段はこれまで特に提案されてはおらず，違法駐車の状況はなかなか改善しなかった。 
　そこで，
この発明は，物品やサービスの購入や利用に関する勧誘を適切に行うための情報が得られ，また，違法駐車の減少に役立たせること等も可能な情報収集システムを提供することを課題とする
（特典付与に関する情報）
イ．「
特典付与に関する情報５は，例えば，事業者６，７，８からの物品やサービスの購入，利用の対価からの割引額を示す値とすることができる。特典を付与する事業者６，７，８側は，この割引額を示す特典付与に関する情報５を，利用者の物品やサービスの購入，利用の対価に対して減算処理を行なうことにより決済を行なうことができる。
　
特典付与に関する情報５は，利用者の回答データ３の送信回数や前記ウェブサイトへのアクセス回数等に応じて異なる値とする等，適宜の条件のもとに，利用者のデータ４への記録を行なうことができる。
（質問事項）
ウ．「このシステムの運営者は，
利用者から前記質問事項２に対する様々な回答データ３を得ることができる。利用者から受け付けた質問事項２に対する回答等の利用者のデータ４は，データベースに蓄積し，様々な用途に活用することができる。例えば，利用者のデータ４から利用者の嗜好を分析し，物品やサービスの購入や利用に関するダイレクトメールの送付先の名簿の作成に利用することが可能である
　
（情報収集システムの利用の仕方の例）
エ．「次に，利用者によるこのシステムの利用の仕方の例について説明する。図３は，駐車場において，利用者が特典を受けるための手順を示す図である。
　
利用者は，まず自動車を駐車場に車を停車させる（図３〔ａ〕）。駐車場は，ゲートに管理担当者を配置してゲートの開閉及び利用者への発券を行なわせるようにした有人駐車場であっても，ゲートや車両ロック装置を有し，備え付けの料金集金装置に料金を投入すると一定時間の駐車が可能となる無人駐車場であってもよい
　そして，利用者は，アクセス先の通知を受ける（図３〔ｂ〕) 。
この実施形態では，アクセス先は，サーバー９によって運営されるウェブサイトとしており
　
アクセス先を知らせる手段としては，例えば，駐車場のゲートに設置された発券機を利用することができる。この場合は，発券機により発券される券に，アクセス先のＵＲＬを印刷する。
　さらに，人手を介してアクセス先を知らせるようにしてもよい。例えば，駐車場のゲートに料金支払い受付者を配置し，会計時に，この料金支払い受付者が利用者にクーポン券を渡すこととし，そのクーポン券にアクセス先のＵＲＬを記載したものとする。
　
利用者は，端末機器１を使用して，アクセス先を知らせる手段により通知されたＵＲＬのウェブサイトにアクセスする（図３〔ｃ〕)。端末機器１としては，利用者が所有する携帯電話とすることができる。
　まだ前記会員登録を受けていない新規の利用者は，会員登録の画面に進む。既に会員登録を受けている場合，あるいは最初の質問の際に同時に会員登録を行うようにしている場合は，質問事項２の画面に進む。 
　
質問事項２の画面に進むと，サーバー９から適宜の質問事項２が送信されるので，これを端末機器１で受信する（図３〔ｄ〕)。
この質問事項２の例では，車検サービスの利用や保険商品の購入について参考となる，有用な回答データ３を得ることができる
　
利用者は，質問事項２に対し，端末機器１のボタン等の操作で回答を入力し，送信する（図３〔ｅ〕)。
　質問事項２は，サーバー９に蓄積された質問事項２に関するデータべースの中から適宜選択されて送信される。質問事項２の選択は，利用者が過去に送信した回答データ３に基づいて行うことができる。例えば，利用者の過去の回答データ３から，年齢，職業，購入物品等に関するキーワードを抽出し，このキーワードを用いて前記質問事項２に関するデータベースの検索を行い，関連する質問事項２が選択されるようにするとよい。
　
回答データ３を送信した利用者については，前述の通り，サーバー９に蓄積されたその利用者のデータ４に，特典付与に関する情報５が記録される
利用者は，駐車場の利用料金が後払い式であれば，その支払い時に特典を行使することができ，駐車場の利用料金が前払い式であれば，次回の駐車場の利用の際に特典を行使することができる
（発明の効果）
　
オ．「
このシステムの運営に参加している事業者の１つが駐車場の経営者であれば，利用者は，特典の付与を期待して，あるいは，他の事業者からの物品・サービスの購入により付与された特典（割引券等）を行使するために，駐車場を積極的に利用するようになり，違法駐車の減少を見込める。さらに，このシステムの運営に参加している駐車場であることが利用者による駐車場の選択の動機付けともなり，このシステムの運営に参加していない駐車場よりも高い稼働率を得ることができる。
　
前記ア．〜オ．によれば，引用文献１には，次の事項が記載されているといえる。
・前記ア．の「この発明は，物品やサービスの購入や利用に関する勧誘を適切に行うための情報が得られ，また，違法駐車の減少に役立たせること等も可能な情報収集システムを提供することを課題とする。」の記載によれば，引用文献１には，「物品やサービスの購入や利用に関する勧誘を適切に行うための情報が得られ，また，違法駐車の減少に役立たせること等も可能な情報収集システム」が記載されている。
・前記エ．の「利用者は，まず自動車を駐車場に車を停車させる（図３〔ａ〕）。駐車場は，ゲートに管理担当者を配置してゲートの開閉及び利用者への発券を行なわせるようにした有人駐車場であっても，ゲートや車両ロック装置を有し，備え付けの料金集金装置に料金を投入すると一定時間の駐車が可能となる無人駐車場であってもよい。」の記載によれば，引用文献１には「駐車場は，ゲートに管理担当者を配置してゲートの開閉及び利用者への発券を行なわせるようにした有人駐車場，あるいは，ゲートや車両ロック装置を有し，備え付けの料金集金装置に料金を投入すると一定時間の駐車が可能となる無人駐車場であり」が記載されている。
・前記エ．の「アクセス先を知らせる手段としては，例えば，駐車場のゲートに設置された発券機を利用することができる。この場合は，発券機により発券される券に，アクセス先のＵＲＬを印刷する。」の記載によれば，引用文献１には「駐車場のゲートに設置された発券機は，発券される券にアクセス先のＵＲＬを印刷し」が記載されている。
　
・前記エ．の「この実施形態では，アクセス先は，サーバー９によって運営されるウェブサイトとしており」の記載によれば，引用文献１には「アクセス先は，サーバー９によって運営されるウェブサイト」であることが記載されている。
　
・前記エ．の「利用者は，端末機器１を使用して，アクセス先を知らせる手段により通知されたＵＲＬのウェブサイトにアクセスする（図３〔ｃ〕)。端末機器１としては，利用者が所有する携帯電話とすることができる。」の記載によれば，引用文献１には「端末機器１は，利用者が所有する携帯電話であって，通知されたＵＲＬのウェブサイトにアクセスし」が記載されている。
・前記エ．の「質問事項２の画面に進むと，サーバー９から適宜の質問事項２が送信されるので，これを端末機器１で受信する（図３〔ｄ〕)。」の記載によれば，引用文献１には「サーバー９は，アクセスした端末機器１に質問事項２を送信し」が記載されている。
・前記ウ．の「利用者から受け付けた質問事項２に対する回答等の利用者のデータ４は，データベースに蓄積し，様々な用途に活用することができる。例えば，利用者のデータ４から利用者の嗜好を分析し，物品やサービスの購入や利用に関するダイレクトメールの送付先の名簿の作成に利用することが可能である。」の記載，
　前記エ．の「この質問事項２の例では，車検サービスの利用や保険商品の購入について参考となる，有用な回答データ３を得ることができる。」の記載によれば，
　引用文献１には，「当該質問事項は，その回答をデータベースに蓄積し，様々な用途に活用するためのものであり，例えば，その回答から利用者の嗜好を分析し，物品やサービスの購入や利用に関するダイレクトメールの送付先の名簿作成に利用したり，車検サービスや保険商品の購入について参考となる有用な回答を得るもの」であることが記載されている。
　
・前記エ．の「利用者は，質問事項２に対し，端末機器１のボタン等の操作で回答を入力し，送信する（図３〔ｅ〕)。」によれば，引用文献１には「利用者は，質問事項２に対し，端末機器１のボタン等の操作で回答を入力して，ウェブサイトのサーバー９に送信し」が記載されている。
・前記エ．の「回答データ３を送信した利用者については，前述の通り，サーバー９に蓄積されたその利用者のデータ４に，特典付与に関する情報５が記録される。利用者は，駐車場の利用料金が後払い式であれば，その支払い時に特典を行使することができ，駐車場の利用料金が前払い式であれば，次回の駐車場の利用の際に特典を行使することができる。」によれば，引用文献１には「サーバー９は，回答データ３を送信した利用者について，サーバー９に蓄積されたその利用者のデータ４に，特典付与に関する情報５を記録し，利用者は，駐車場の利用料金が後払い式であれば，その支払い時に特典を行使することができ，駐車場の利用料金が前払い式であれば，次回の駐車場の利用の際に特典を行使することができ」が記載されている。
　
・前記イ．の「特典付与に関する情報５は，例えば，事業者６，７，８からの物品やサービスの購入，利用の対価からの割引額を示す値とすることができる。特典を付与する事業者６，７，８側は，この割引額を示す特典付与に関する情報５を，利用者の物品やサービスの購入，利用の対価に対して減算処理を行なうことにより決済を行なうことができる。
　特典付与に関する情報５は，利用者の回答データ３の送信回数や前記ウェブサイトへのアクセス回数等に応じて異なる値とする等，適宜の条件のもとに，利用者のデータ４への記録を行なうことができる。」の記載によれば，引用文献１には「特典付与に関する情報は，例えば，事業者からの物品やサービスの購入，利用の対価からの割引額を示す値であり，利用者の回答データ３の送信回数等に応じて異なる値とすることができ」が記載されている。
・前記オ．の「このシステムの運営に参加している事業者の１つが駐車場の経営者であれば，利用者は，特典の付与を期待して，あるいは，他の事業者からの物品・サービスの購入により付与された特典（割引券等）を行使するために，駐車場を積極的に利用するようになり，違法駐車の減少を見込める。さらに，このシステムの運営に参加している駐車場であることが利用者による駐車場の選択の動機付けともなり，このシステムの運営に参加していない駐車場よりも高い稼働率を得ることができる。」の記載によれば，引用文献１には「これにより，利用者は，特典の付与を期待して，駐車場を積極的に利用するようになり，違法駐車の減少を見込むことができ，さらに，このシステムの運営に参加している駐車場であることが利用者による駐車場の選択の動機付けともなり，このシステムの運営に参加していない駐車場よりも高い稼働率を得ることができる」が記載されている。
　したがって，引用文献１には，次の発明（以下，「引用発明」という。）が記載されている。
　
＜引用発明＞
「物品やサービスの購入や利用に関する勧誘を適切に行うための情報が得られ，また，違法駐車の減少に役立たせること等も可能な情報収集システムであって，
　駐車場は，ゲートに管理担当者を配置してゲートの開閉及び利用者への発券を行なわせるようにした有人駐車場，あるいは，ゲートや車両ロック装置を有し，備え付けの料金集金装置に料金を投入すると一定時間の駐車が可能となる無人駐車場であり，
　駐車場のゲートに設置された発券機は，発券される券にアクセス先のＵＲＬを印刷し，当該アクセス先は，サーバー９によって運営されるウェブサイトであり，
　端末機器１は，利用者が所有する携帯電話であって，通知されたＵＲＬのウェブサイトにアクセスし，
　サーバー９は，アクセスした端末機器１に質問事項２を送信し，
　当該質問事項２は，その回答をデータベースに蓄積し，様々な用途に活用するためのものであり，例えば，その回答から利用者の嗜好を分析し，物品やサービスの購入や利用に関するダイレクトメールの送付先の名簿作成に利用したり，車検サービスや保険商品の購入について参考となる有用な回答を得るものであり，
　利用者は，質問事項２に対し，端末機器１のボタン等の操作で回答を入力して，ウェブサイトのサーバー９に送信し，
　サーバー９は，回答データ３を送信した利用者について，サーバー９に蓄積されたその利用者のデータ４に，特典付与に関する情報５を記録し，利用者は，駐車場の利用料金が後払い式であれば，その支払い時に特典を行使することができ，駐車場の利用料金が前払い式であれば，次回の駐車場の利用の際に特典を行使することができ，
　特典付与に関する情報は，例えば，事業者からの物品やサービスの購入，利用の対価からの割引額を示す値であり，利用者の回答データ３の送信回数等に応じて異なる値とすることができ，
　これにより，利用者は，特典の付与を期待して，駐車場を積極的に利用するようになり，違法駐車の減少を見込むことができ，さらに，このシステムの運営に参加している駐車場であることが利用者による駐車場の選択の動機付けともなり，このシステムの運営に参加していない駐車場よりも高い稼働率を得ることができる，
情報収集システム。」
２．特開２０１０−１８６４５７号公報
　
　原査定の拒絶理由において引用された特開２０１０−１８６４５７号公報（以下，「引用文献２」という。）には，次の事項が記載されている（下線は，当審において付与した。）。
カ．「【０００９】
　本発明は，上記の課題を解決するために成されたものであり，
消費者がカメラ付き携帯電話等や一般的携帯電話等の移動通信端末でインターネットを介したショッピングや懸賞の応募や景品等を提供するキャンペーンや商品の割引サービスへの参加に安心して不信感を抱くことなく参加できるようにする販売促進用Ｗｅｂサイト誘導手段の提供
【課題を解決するための手段】
【００１０】
　課題を解決するための
第一の手段（請求項１）は
商品の販売店において
顧客が前記Ｗｅｂサイト誘導手段を読み取って復号する検出手段を有する移動通信端末を介して，通信ネットワークに接続されるＷｅｂサイトに設けたアンケート情報に誘導できるようにし，顧客が前記アンケート情報内のレベルに応じて構成された質問に応答すると，前記応答レベルに応じて前記移動通信端末に第二販売促進情報を送信できるようにしたことを特徴とする，販売促進用Ｗｅｂサイト誘導手段を提供すること
キ．「【００１２】
　課題を解決するための第一の手段で記述したＷｅｂサイト誘導手段に関しては，以下の技術が一般的に知られている。
　例えば，
光学読取用コードパターンと光学読取用コードパターンを読み取って復号する検出手段を有する移動通信端末（例えば，カメラ付き携帯電話等）を所持する顧客を利用する場合では，
目的とするＷｅｂサイトのＵＲＬ（Ｕｎｉｆｏｒｍ  Ｒｅｓｏｕｃｅ  Ｌｏｃａｔｏｒ）情報を符号化させ含ませてある光学読取用コードパターンを設けた前記商品を撮像させることで前記Ｗｅｂサイトに誘導できるようにする
　
ク．「【００１７】
　課題を解決するための第一の手段で記述したアンケート情報に関しては，
前記Ｗｅｂサイト内に誘導された顧客に対して
前記Ｗｅｂサイト内に設けたアンケートに答える意思が有るか無いかを問う設問があり，有ると答えた場合は次のステップに移り，無いと答えた場合は応答レベル１と設定し，前記アンケート情報の中のアンケートに答える意思が有る答えた顧客に対して，性別（例えば，男性？，女性？）を問う設問があり，性別を答えた場合は次のステップに移り，性別を答えなかった場合は応答レベル２と設定し，前記アンケート情報の中の性別を答えた顧客に対して，年代（例えば，１０代？，２０代？，３０代？，４０代？，５０代？，６０代？，７０代？，８０代？，または実年齢）を問う設問があり，年代を答えた場合は次のステップに移り，年代を答えなかった場合は応答レベル３と設定し，前記アンケート情報の中の年代を答えた顧客に対して，職業（例えば，学生？，無職？，主婦？，パート？，会社員？，自営業？，公務員？）を問う設問があり，職業を答えた場合は次のステップに移り，職業を答えなかった場合は応答レベル４と設定し，前記アンケート情報の中の職業を答えた顧客に対して，対象となる前記販売店と住居との距離（例えば，１００ｍ以内，２００ｍ以内，３００ｍ以内，４００ｍ以内，５００ｍ以内，５００ｍ〜１０００ｍ，１０００ｍ以上）を問う設問があり，距離を答えた場合は次のステップに移り，距離を答えなかった場合は応答レベル５と設定し，これ以上は前記顧客の個人情報に合わせて設問を設定し，それに合わせて応答レベル［５＋ｎ（ｎは１から始まる自然数）］を設定すればよい
ケ．「【００１８】
　課題を解決するための第一の手段で記述した
第二販売促進情報に関しては
前記アンケートに応答して頂いたお礼としての内容と今後前記Ｗｅｂサイトを再利用して頂く度数を向上させることを目的しており，この目的に合致しそうな付加価値は全て本発明の対象となる。前記付加価値に関しては，例えば指定販売店において指定商品のクーポン情報（クーポン券画像）の送信であり，例えば指定販売店において指定商品のポイント追加情報（追加点数の画像）の送信案内であり，例えば指定販売店において指定商品購入時の現金還元情報（還元金額の画像）の送信案内であり
コ．「【００３６】・・・（中略）・・・
ＳＣは前記Ｗｅｂサイト誘導手段を管理するサーバーコンピュータ
１０は，本発明に記述するアンケート情報を携帯電話Ｐ１，携帯電話Ｐ２，携帯電話Ｐ３，などの画面に表示させたり，このＷｅｂサイトを記録し制御し管理し送信したりする手段であり，サーバーコンピュータＳＣに記録され管理されている
２０は，
第二販売促進情報を記録し管理し送信したりする手段であり，サーバーコンピュータＳＣに記録され管理されている。３０は，前記アンケート情報を記録し管理し送信したりする手段であり，サーバーコンピュータＳＣに記録され管理されている。４０は，顧客Ｃ１，顧客Ｃ２，顧客Ｃ３，などがアンケート情報管理手段３０からのアンケート情報内のレベルに応じて構成された質問に応答すると，前記応答レベルに応じて送信する第二販売促進情報を選択する手段を記録し制御し送信する手段であり，サーバーコンピュータＳＣに記録され管理されている。５０は，アンケート情報管理手段３０によって得られた顧客情報を記録し管理し送信したりする手段であり，サーバーコンピュータＳＣに記録され管理されている
サ．「【００３９】
　図１から図５より，４１０は，
携帯電話Ｐ１または携帯電話Ｐ２または携帯電話Ｐ３からのＷｅｂサイト接続信号を受信した場合に，携帯電話Ｐ１または携帯電話Ｐ２または携帯電話Ｐ３にサーバーコンピュータＳＣに記録されているアンケート情報１３を表示する
　前記カ．〜サ．によれば，引用文献２には，次の事項が記載されている。
＜引用文献２の記載事項＞
「販売店の商品等に設けられた，ＷｅｂサイトのＵＲＬ情報を符号化した光学読取用コードパターンと，
　前記光学読取用コードパターンを読み取って復号する検出手段を有し，復号されたＵＲＬのＷｅｂサイトに誘導される移動通信端末と，
　ＷｅｂサイトのサーバーコンピュータＳＣとを備え，
　サーバーコンピュータＳＣは，
　光学読取用コードパターンを読み取ってＷｅｂサイトに誘導された移動通信端末に，アンケート情報を表示させ，
　前記アンケート情報には，前記Ｗｅｂサイト内に設けたアンケートに答える意思が有るか無いかを問う設問があり，有ると答えた場合は次のステップに移り，無いと答えた場合は応答レベル１と設定し，
　前記アンケート情報の中のアンケートに答える意思が有ると答えた顧客に対して，性別を問う設問があり，性別を答えた場合は次のステップに移り，性別を答えなかった場合は応答レベル２と設定し，
　前記アンケート情報の中の性別を答えた顧客に対して，年代を問う設問があり，年代を答えた場合は次のステップに移り，年代を答えなかった場合は応答レベル３と設定し，
　前記アンケート情報の中の年代を答えた顧客に対して，職業を問う設問があり，職業を答えた場合は次のステップに移り，職業を答えなかった場合は応答レベル４と設定し，
　前記アンケート情報の中の職業を答えた顧客に対して，対象となる前記販売店と住居との距離を問う設問があり，距離を答えた場合は次のステップに移り，距離を答えなかった場合は応答レベル５と設定し，
　これ以上は前記顧客の個人情報に合わせて設問を設定し，それに合わせて応答レベル［５＋ｎ（ｎは１から始まる自然数）］を設定し，
　前記応答レベルに応じて前記移動通信端末に第二販売促進情報を送信し，
　前記第二販売促進情報は，前記アンケートに応答して頂いたお礼としての内容と今後前記Ｗｅｂサイトを再利用して頂く度数を向上させることを目的とする付加価値であり，例えば指定販売店において指定商品のクーポン情報，指定販売店において指定商品のポイント追加情報，指定販売店において指定商品購入時の現金還元情報である，システム。」
　
第４　対比
　本願発明と引用発明とを対比する。
（駐車場の利用促進手段）
・引用発明の情報収集システムは，「利用者は，特典の付与を期待して，駐車場を積極的に利用するようになり」という効果や，「利用者による駐車場の選択の動機付けともなり，このシステムの運営に参加していない駐車場よりも高い稼働率を得ることができる」という効果を得ることができるシステムであるから，この効果に着目すれば，駐車場の利用を促進する手段であるといえる。
　したがって，引用発明の「物品やサービスの購入や利用に関する勧誘を適切に行うための情報が得られ，また，違法駐車の減少に役立たせること等も可能な情報収集システム」は，本願発明の「駐車場の利用促進手段」に相当する。
（Ｗｅｂサイト誘導手段）
・引用発明の駐車場は，「備え付けの料金集金装置に料金を投入すると一定時間の駐車が可能となる」ような駐車場や，「駐車場の利用料金が後払い式」，「駐車場の利用料金が前払い式」のような駐車場であることから，有料駐車場であるといえる。
　したがって，引用発明の駐車場と，本願発明の「自動車を時間単位または日数単位で有料で駐車させる有料駐車場」は，「自動車を有料で駐車させる有料駐車場」の点で共通する。
・引用発明の「駐車場のゲートに設置された発券機」によって「発券される券」は，本願発明の「有料駐車場に設けられるパーキングメータ又は駐車券発券機又は駐車料金自動精算機から出力される印刷物，又は前記駐車場の運営管理者が発行する印刷物，から選択される少なくとも一つ」であるところの，「駐車券発券機」から出力される印刷物に相当する。
　
・本願発明の，駐車券発券機から出力される印刷物に「Ｗｅｂサイト誘導手段」を設けることについて，検討する。
　本願明細書には，上記「Ｗｅｂサイト誘導手段」について次の事項が記載されている（下線は，当審において付与した。）。
「【００２１】・・・（中略）・・・
　課題を解決するための第二の手段で記述した
Ｗｅｂサイト誘導手段に関しては
例えば，前記利用者にカメラ付き携帯電話等を用いて，目的とする場所にＷｅｂサイトのＵＲＬ（Ｕｎｉｆｏｒｍ  Ｒｅｓｏｕｃｅ  Ｌｏｃａｔｏｒ）情報を符号化させ含ませてある光学読取用コードパターンを設けこの光学読取用コードパターンを撮像させることで前記Ｗｅｂサイトに誘導できるようにする方法
・・・（中略）・・・
　また前記
駐車券発券機印刷物に前記Ｗｅｂサイト誘導手段を設けることに関しては
前記駐車券発券機の印刷手段が前記光学読取用コードパターンを印刷できるようになっていてもよいし，前記駐車券発券機の印刷手段に着脱可能に装着される印刷用紙または印刷台紙に予め前記光学読取用コードパターンを印刷手段を介して印刷しておいてもよいし，前記駐車券発券機の印刷手段に着脱可能に装着される印刷用紙または印刷台紙に予め前記光学読取用コードパターンを設けた印章を用いて押印しておいてもよいし，前記駐車券発券機の印刷手段に着脱可能に装着される印刷用紙または印刷台紙に予め前記光学読取用コードパターンを設けた印刷物を貼着手段を介して貼着しておいてもよいし，またはこれらの組合せでも構わない
　この記載によれば，本願発明の，駐車券発券機から出力される印刷物に「Ｗｅｂサイト誘導手段」を設けることは，当該印刷物に，ＵＲＬ情報を符号化した光学読取用コードパターンを設けることを含む。
　一方，引用発明は，駐車場のゲートに設置された発券機が，発券される券にアクセス先のＵＲＬを印刷することから，駐車券発券機から出力される印刷物に，ＵＲＬ情報を印刷するものである。このＵＲＬは，光学読取用コードパターンではないものの，利用者をＷｅｂサイトに誘導するから，「Ｗｅｂサイト誘導手段」といえる。
　したがって，引用発明における，駐車場のゲートに設置された発券機が，発券される券にアクセス先のＵＲＬを印刷することは，本願発明の，駐車券発券機から出力される印刷物に「Ｗｅｂサイト誘導手段」を設けることに相当する。
・上記の点を総合すると，引用発明の「駐車場のゲートに設置された発券機は，発券される券にアクセス先のＵＲＬを印刷し」と，本願発明の「自動車を時間単位または日数単位で有料で駐車させる有料駐車場に設けられるパーキングメータ又は駐車券発券機又は駐車料金自動精算機から出力される印刷物，又は前記駐車場の運営管理者が発行する印刷物，から選択される少なくとも一つにＷｅｂサイト誘導手段を設け」は，「自動車を有料で駐車させる有料駐車場に設けられる駐車券発券機から出力される印刷物にＷｅｂサイト誘導手段を設け」の点で共通する。
　
（Ｗｅｂサイトの顧客応答フィードバック手段）
・本願発明の顧客応答フィードバック手段について検討する。
　本願明細書には，顧客応答フィードバック手段について，次の事項が記載されている。
「【００１４】・・・（中略）・・・次に，前記
顧客応答フィードバック手段の機能の一つに関しては
設問を表示させ
表示内容に対して同意した利用者をポジティブフィードバック１の利用者と設定し
同意しなかった利用者をネガティブフィードバック１の利用者であると設定し
設問を表示させ
この表示内容に対して同意した利用者をポジティブフィードバック２の利用者と設定し，同意しなかった利用者をネガティブフィードバック２の利用者であると設定する
設問に答える意思が有るか無いかを問う設問を表示させ，この表示内容に対して同意した利用者をポジティブフィードバック３の利用者と設定し，同意しなかった利用者をネガティブフィードバック３の利用者であると設定する
問を表示させ，この表示内容に対して同意した利用者をポジティブフィードバック４の利用者と設定し，同意しなかった利用者をネガティブフィードバック４の利用者であると設定する
「【００３５】・・・（中略）・・・５０は，
顧客応答フィードバック手段
　上記記載によれば，顧客応答フィードバック手段は，顧客の移動通信端末に設問を送信し，その設問に対する顧客の応答（すなわち反応）をフィードバックとして受信する手段と解される。
　一方，引用発明のサーバー９（ウェブサイト）は，端末機器１に質問事項２を送信し，その質問事項２に対する利用者の回答を受信する手段を有していることから，この手段は本願発明の「顧客応答フィードバック手段」に相当するといえる。
　
（移動通信端末）
・引用発明の端末機器１は携帯電話であるから，本願発明の「移動通信端末」に相当する。
　
（駐車場の利用を促進させる情報）
・引用発明の「サーバー９は，アクセスした端末機器１に質問事項２を送信し」，及び，「利用者は，質問事項２に対し，端末機器１のボタン等の操作で回答を入力して，ウェブサイトのサーバー９に送信し」は，移動体通信端末の利用者が，移動体通信端末を介して顧客応答フィードバック手段を利用することといえる。
　したがって，引用発明の上記構成と，本願発明の「前記Ｗｅｂサイト誘導手段を検出する移動通信端末を有する前記駐車場の利用者が前記移動通信端末を介して前記顧客応答フィードバック手段を利用したときに」は，「移動通信端末を有する前記駐車場の利用者が前記移動通信端末を介して前記顧客応答フィードバック手段を利用したときに」の点で共通する。
　
・本願発明の「駐車場の利用を促進させる情報」は，本願明細書によれば，「前記駐車場の利用料の割引価格の表示，前記駐車場の利用料の割引率の表示」（【００１７】）などの特典情報を含むものである。
　一方，引用発明の「特典付与に関する情報」は，この特典の付与を期待して，利用者が駐車場を積極的に利用するようになることから，駐車場の利用を促進させる情報といえる。
　したがって，引用発明の「特典付与に関する情報」は，本願発明の「駐車場の利用を促進させる情報」に相当する。
　
・引用発明の「特典付与に関する情報は，例えば，事業者からの物品やサービスの購入，利用の対価からの割引額を示す値であり，利用者の回答データ３の送信回数等に応じて異なる値とすることができ」において，利用者の回答データの送信回数に応じて異なる値とする「特典付与に関する情報」は，回答データの送信回数という利用者の反応に応じて選択されたものといえる。したがって，本願発明の「前記利用者の反応に応じて選択された前記駐車場の利用を促進させる情報」に相当する。
　よって，引用発明の「サーバー９は，回答データ３を送信した利用者について，サーバー９に蓄積されたその利用者のデータ４に，特典付与に関する情報５を記録し」，及び，「特典付与に関する情報は，例えば，事業者からの物品やサービスの購入，利用の対価からの割引額を示す値であり，利用者の回答データ３の送信回数等に応じて異なる値とすることができ」と，本願発明の「前記顧客応答フィードバック手段を利用したときに，前記利用者の反応に応じて選択された前記駐車場の利用を促進させる情報を前記移動通信端末に送信すること」は，「前記顧客応答フィードバック手段を利用したときに，前記利用者の反応に応じて選択された前記駐車場の利用を促進させる情報を利用者に提供すること」の点で共通する。
　
・上記記載を総合すると，引用発明の「端末機器１は，利用者が所有する携帯電話であって，通知されたＵＲＬのウェブサイトにアクセスし，
　サーバー９は，アクセスした端末機器１に質問事項２を送信し」，及び，
「利用者は，質問事項２に対し，端末機器１のボタン等の操作で回答を入力して，ウェブサイトのサーバー９に送信し，
　サーバー９は，回答データ３を送信した利用者について，サーバー９に蓄積されたその利用者のデータ４に，特典付与に関する情報５を記録し」，及び，
　「特典付与に関する情報は，例えば，事業者からの物品やサービスの購入，利用の対価からの割引額を示す値であり，利用者の回答データ３の送信回数等に応じて異なる値とすることができ」と，
　本願発明の「前記Ｗｅｂサイト誘導手段を検出する移動通信端末を有する前記駐車場の利用者が前記移動通信端末を介して前記顧客応答フィードバック手段を利用したときに，前記利用者の反応に応じて選択された前記駐車場の利用を促進させる情報を前記移動通信端末に送信すること」は，
　「移動通信端末を有する前記駐車場の利用者が前記移動通信端末を介して前記顧客応答フィードバック手段を利用したときに，前記利用者の反応に応じて選択された前記駐車場の利用を促進させる情報を利用者に提供すること」の点で共通する。
（Ｗｅｂサイト誘導手段の発行手段）
　
・「Ｗｅｂサイト誘導手段の発行手段」について，本願明細書には次の事項が記載されている（下線は，当審において付与した。）。
「【００２４】
  課題を解決するための第三の手段で記述した
Ｗｅｂサイト誘導手段の発行手段に関しては
光学読取用コードパターン
印刷台紙に印刷手段を介して印刷した後に出力する方法を備えた装置
　上記記載によれば，「Ｗｅｂサイト誘導手段の発行手段」は，Ｗｅｂサイト誘導手段を印刷台紙に印刷手段を介して印刷した後に出力する手段を含む。
　一方，引用発明の発券機は，アクセス先のＵＲＬを印刷した券を発券（すなわち，出力）することから，この発券を行う手段は，本願発明の「Ｗｅｂサイト誘導手段の発行手段」に相当する。
　したがって，引用発明の発券機にアクセス先のＵＲＬを印刷した券を発券する手段を設けることと，本願発明の「前記駐車管理装置又は前記駐車券発券機又は前記駐車料金自動精算機又は前記駐車場関連設備，から選択される少なくとも一つにＷｅｂサイト誘導手段の発行手段を設けること」は，「前記駐車券発券機にＷｅｂサイト誘導手段の発行手段を設けること」の点で共通する。
　したがって，本願発明と引用発明との一致点・相違点は次のとおりである。
＜一致点＞
「自動車を有料で駐車させる有料駐車場に設けられる駐車券発券機から出力される印刷物にＷｅｂサイト誘導手段を設け，また前記Ｗｅｂサイト誘導手段を介して誘導されるＷｅｂサイトには顧客応答フィードバック手段を設け，移動通信端末を有する前記駐車場の利用者が前記移動通信端末を介して前記顧客応答フィードバック手段を利用したときに，前記利用者の反応に応じて選択された前記駐車場の利用を促進させる情報を利用者に提供することを特徴とする駐車場の利用促進手段であり，前記駐車券発券機にＷｅｂサイト誘導手段の発行手段を設けることを特徴とする，駐車場の利用促進手段。」
＜相違点１＞
　有料駐車場が，本願発明では「時間単位または日数単位」で有料であるのに対し，引用発明では，有料の単位が「時間単位または日数単位」であるかどうか不明な点。
　
＜相違点２＞
　移動体通信端末が，本願発明では「Ｗｅｂサイト誘導手段を検出する」ものであるの対し，引用発明では「Ｗｅｂサイト誘導手段を検出する」ものではない点。
　
＜相違点３＞
　駐車場の利用を促進させる情報を利用者に提供することが，本願発明では，当該情報を利用者の移動通信端末に送信することであるのに対し，引用発明では，当該情報を利用者のデータに記録することである点。
第５　判断
＜相違点１＞について
　有料駐車場の利用料金を，時間単位の料金または日数単位の料金とすることは，駐車場における周知の営業手法である。
　したがって，引用発明において，有料駐車場の利用料金に周知の営業手法を採用し，「時間単位または日数単位」で有料とすることは容易に想到し得ることである。
＜相違点２＞について
　引用発明は，発券された券にアクセス先のＵＲＬを印刷し，端末機器は，そのＵＲＬのウェブサイトにアクセスすることから，端末装置にＵＲＬを入力する手段を備える必要があることは普通に想到される。
　一方，引用文献２には，アンケートを行うＷｅｂサイトへ誘導するために，販売店の商品等に，ＷｅｂサイトのＵＲＬ情報を符号化した光学読取用コードパターンを設け，移動通信端末に光学読取用コードパターンを読み取って復号する検出手段を設けることが記載されている。
　また，光学読取用コードパターンが，印刷可能なものであることは周知である。
　したがって，引用発明において，券に印刷されたＵＲＬを端末機器に入力するために，引用文献２に記載された上記構成を適用し，券に印刷されるＵＲＬを，そのＵＲＬを符号化した光学読取用コードパターンとするとともに，端末機器に光学読取用コードパターンを読み取って復号する検出手段を設けることは，格別困難ではない。
　してみると，引用発明において，券に印刷されたＵＲＬを端末機器に入力するために，引用文献２に記載された光学読取用コードパターンとその検出手段とを採用して，券に印刷されるＵＲＬを，当該ＵＲＬを符号化した光学読取用コードパターンとするとともに，端末機器に，この光学読取用コードパターン（すなわち，Ｗｅｂサイト誘導手段）を読み取って復号する検出手段を設けて，上記相違点２に係る本願発明の構成とすることは容易に想到し得ることである。
＜相違点３＞について
　引用文献１には，次の事項が記載されている。
「割引券等の特典は，対象となる利用者に電子メール等で電子文書の形式で送信したり，郵送で送付したりすることにより，利用者が受け取ることができるようにするとよい。」（７ページ１行〜３行）
　上記記載によれば，引用文献１には，割引券等の特典を利用者に送信することが示唆されている。
　また，引用文献２には，「前記応答レベルに応じて前記移動通信端末に第二販売促進情報を送信」することが記載されている。この第二販売促進情報は，「例えば指定販売店において指定商品のクーポン情報」のような特典であり，また，Ｗｅｂサイトに誘導されて，設問への応答をした移動通信端末に送信されるものである。
　してみると，引用発明において，利用者が特典を受け取ることができるようにするために，当該特典を利用者に送信し，その際，引用文献２記載の上記構成を適用して，送信先を，ウェブサイトにアクセスして質問事項に対して回答した端末機器として，上記相違点３に係る構成とすることは容易に想到し得ることである。
　
　そして，本願発明の作用効果も，引用発明，引用文献２記載事項から当業者が予測できる範囲のものである。
　したがって，本願発明は，引用発明，引用文献２記載事項に基づいて，当業者が容易に発明をすることができたものである。
第６　むすび
　以上のとおり，本願発明は，引用発明，引用文献２記載事項に基づいて，当業者が容易に発明をすることができたものであるから，特許法第２９条第２項の規定により特許を受けることができないものであり，他の請求項について検討するまでもなく，本願は拒絶されるべきものである。
　よって，結論のとおり審決する。